(57)【要約】      （修正有）【課題】バストの膨出や正しい姿勢の保持の整形機能を備えながら、運動追従性を確保した成形衣料を提供する。【解決手段】着用者の胸部を被覆するバスト部１と、バスト部の下辺から両脇下にかけて形成された土台部２と、土台部の両端から背中にかけて被覆する後身頃３により胸周りを被覆するように筒状に連続して編成され、一対の肩紐４を備えた成形衣料であって、後身頃には、左右の肩紐から連続して袖刳りにほぼ沿うような弧状に形成され、土台部の両端部へと連接する緊締力の大きい左右緊締帯３１と、両端部が左右緊締帯に連接する緊締力の大きい中央緊締帯が設けられていることを特徴とする。【選択図】図１
0003183991.tif 000002
【実用新案登録請求の範囲】
【請求項１】
着用者の胸部を被覆するバスト部と、該バスト部の下辺から両脇下にかけて形成された土台部と、該土台部の両端から背中にかけて被覆する後身頃により胸周りを被覆するように筒状に連続して編成され、一対の肩紐を備えた成形衣料であって、前記後身頃には、左右の肩紐から連続して袖刳りにほぼ沿うような弧状に形成され、前記土台部の両端部へと連接する緊締力の大きい左右緊締帯と、両端部が該左右緊締帯に連接する緊締力の大きい中央緊締帯が設けられていることを特徴とする成形衣料。
【請求項２】
少なくとも３つの異なる編み組織で編成され、第１編み組織を前記肩紐と前記左右緊締帯及び前記中央緊締帯に編成し、第２編み組織を前記土台部に編成し、第３編み組織を前記バスト部及び前記後身頃の左右緊締帯及び中央緊締帯を除く部分に編成し、それら編み組織の緊締力の関係が第１編み組織＞第２編み組織＞第３編み組織であることを特徴とする請求項１に記載の成形衣料。
【考案の詳細な説明】
【技術分野】
【０００１】
本考案は、胸部を被覆可能な筒状に編成された女性用の下着であって、編組織を部分的に変えて編成し、所望の伸びを有する編地を配してなる成形衣料に関するものである。
【背景技術】
【０００２】
従来、後身頃の一部に低伸縮で緊締力を有する編み組織を編成することで、バストの膨出や正しい姿勢の保持を目的とした成形衣料が提供されている（特許文献１、特許文献２）。しかし、前記低伸縮編み組織は、Ｘ字状またはＶ字状などの帯状からなり、左右肩部から下端のウエスト部まで延在されているため、正しい姿勢を保持する効果を有するものの、前屈や肩や腕の運動に対して、肩甲骨の動きを阻害し不快に感じさせたり、ウエスト部がずり上げるおそれがあり、運動追従性に課題を擁していた。  
【先行技術文献】
【特許文献】
【０００３】
【特許文献１】特開２０１０−６５３２９
【特許文献２】実用新案登録３０４６７８５
【考案の概要】
【考案が解決しようとする課題】
【０００４】
そこで、本考案は、バストの膨出や正しい姿勢の保持の整形機能を備えながら、運動追従性を確保した成形衣料を提供することをその課題とするものである。
【課題を解決するための手段】
【０００５】
本考案は、上記課題を解決するものであり、着用者の胸部を被覆するバスト部と、該バスト部の下辺から両脇下にかけて形成された土台部と、該土台部の両端から背中にかけて被覆する後身頃により胸周りを被覆するように筒状に連続して編成され、一対の肩紐を備えた成形衣料であって、前記後身頃には、左右の肩紐から連続して袖刳りにほぼ沿うような弧状に形成され、前記土台部の両端部へと連接する緊締力の大きい左右緊締帯と、両端部が該左右緊締帯に連接する緊締力の大きい中央緊締帯が設けられていることを特徴とする成形衣料である。
【考案の効果】
【０００６】
本考案の成形衣料は、後身頃において緊締力の大きい左右緊締帯が肩甲骨に沿って袖刳り近傍の縦方向に配置され、左右緊締帯の間には左右緊締帯を横方向に連結する中央緊締帯が設けられることにより、屈曲に対向して、背中が前方に湾曲するのを防止すると共に、肩甲骨を中心側に引き寄せ、姿勢を正しく保とうとする作用を生ずる。また、肩甲骨の動きを阻害することなく、肩や腕の動きを妨げない。
【０００７】
さらに、本考案の成形衣料は、最も伸び易い編み組織を、バスト部と、後身頃の帯状組織とウエスト部の間に編成することにより、バスト部はバストの膨出を妨げず、後身頃は運動追従性に優れ、ウエスト部のずり上げを抑える作用がある。
【図面の簡単な説明】
【０００８】
【図１】本考案に係る成形衣料の正面図。
【図２】本考案に係る成形衣料の背面図。
【考案を実施するための形態】
【０００９】
以下、本考案の成形衣料の一実施態様を、図面に基づいて具体的に説明する。なお、本考案はこれら実施態様に何ら制約されるものではない。
【００１０】
図１は本考案に係るハーフトップの正面図、図２は同背面図である。図中、１はバスト部、２は土台部、３は後身頃、４は肩紐、５はアンダーベルト、１１はバスト部頂部、１２はバスト部下辺、３１は左右緊締帯、３２は中央緊締帯、４１は接合部をそれぞれ示す。
【００１１】
図に示すように、本考案にかかる成形衣料は、着用者の胸部を被覆するバスト部１と、
バスト部下辺１２から連続して両脇下にかけて形成された土台部２と、土台部２の両端から背中にかけて被覆する後身頃３により着用者の胸周りを被覆するように筒状に連続して編成されている。土台部２と後身頃３の下部にはアンダーベルト５が連続して設けられており、バスト部１の頂部１１から後身頃３にかけて一対の肩紐４が設けられている。本実施態様では、肩紐４はバスト部１から連続して編成されて、頂部１１で編み組織が切り替わるように形成されている部位と、後身頃３から連続して編成されている部位とが接合部４１において縫着されているが、肩紐の形状はこれに限定されず、バスト部１と後身頃３とは独立する部分として形成し、バスト部１と後身頃３に取り付けるタイプとしてもよい。さらに、脇下付近のバスト部下辺１２から後身頃３の端部にかけて、補強用裏地を設けてもよい。
【００１２】
後身頃３には、後身頃３とは異なる編み組織で左右緊締帯３１、中央緊締帯３２が形成されている。これらのうち、左右緊締帯３１は、着用者の肩部から脇下にかけて肩甲骨に沿って縦に配置されるように、左右の肩紐４から連続して袖刳りにほぼ沿うような弧状に形成され、土台部２の両端部へと連接している。さらに、左右緊締帯３１の間で首刳りの近傍には、両端部が左右緊締帯３１に連接する中央緊締帯３２が設けられている。
【００１３】
これらの左右緊締帯３１と袖刳りの間と、中央緊締帯３２と首刳りとの間には、後身頃３と同じ編み組織の部位３ａ、３ｂが設けられているが、袖刳りと首刳りの形状によってはこれらの部位を設けることなく、左右緊締帯３１の袖刳り側端部が袖刳りと一致するように形成しても良く、また、同様に中央緊締帯３２の首刳り側端部が首刳りと一致するように形成しても良い。いずれの場合でも、左右緊締帯３１が着用者の肩甲骨に沿って配置されればよい。さらに、左右緊締帯３１の袖刳り側もしくは中央緊締帯３２の首刳り側のいずれか、あるいは、それら両方に編み変化をつけて、当該部分の緊締力を弱めてもよい。さらに、袖刳り及び首刳りの端部に伸縮性テープを付けて緊締力を強めてもよい。
【００１４】
上述の各部位は、少なくとも３つの異なる編み組織で編成されることが好ましく、具体的には、緊締力の最も大きい第１編み組織を肩紐４、左右緊締帯３１及び中央緊締帯３２に編成し、緊締力の中程度の第２編み組織を土台部２に編成し、最も伸び易い第３編み組織をバスト部１及び後身頃３で左右緊締帯３１及び中央緊締帯３２を除く部分（部位３ａ、３ｂが形成されている場合は当該部位を含む）に編成している。
【００１５】
かかる第１ないし第３編み組織は、それぞれ第１編み組織を鹿の子組織(ハード鹿の子）、第２編み組織をリブ組織、第３編み組織を天竺組織とするのがより好ましいが、それらの緊締力の関係が第１編み組織＞第２編み組織＞第３編み組織であれば、その他の編み組織であってもよい。また、使用される素材は、ポリウレタン弾性繊維と、綿、再生セルロース系繊維、 ポリエステル、ナイロン等合成繊維の何れか非弾性繊維との組み合わせが好ましく、一例としては、ポリエステル／綿６５％３５％混紡４０番手と、ナイロン３０デニールと、ＦＴＹ（フィラメント・ツイステッド・ヤーン）ポリウレタン２０デニールＸナイロン７０デニールの３本糸引き揃えが挙げられる。
【００１６】
以上の通り、後身頃３において、緊締力の大きい左右緊締帯３１が肩甲骨に沿って左右袖刳り近傍の縦方向に配置されるため、屈曲に対向して、背中が前方に湾曲するのを防止することができる。また、左右緊締帯３１の間には左右緊締帯３１を横方向に連結する中央緊締帯３２があるため、肩甲骨を中心側に引き寄せ、正しい姿勢を保持する作用がある。また、緊締帯３１、３２はいずれも肩甲骨の動きを阻害することなく、肩や腕の動きを妨げない。
【００１７】
さらに、最も伸び易い編み組織を、バスト部１と、後身頃３の緊締帯３１、３２とアンダーベルト５の間に編成することにより、バスト部１はバストの膨出を妨げず、後身頃３は運動追従性に優れ、ウエスト部のずり上げを抑える作用がある。  
【符号の説明】
【００１８】
１……バスト部
２……土台部
３……後身頃
４……肩紐
５……アンダーベルト
１１……バスト部頂部
１２……バスト部下辺
３１……左右緊締帯
３２……中央緊締帯
４１……接合部
【図１】
0003183991.tif 000003
【図２】
0003183991.tif 000004